(57)【特許請求の範囲】
【請求項１】
圧縮機を備える空気調和機であって、
三相交流電源から供給された三相交流電流を直流電流に変換する交流直流変換部と、
前記交流直流変換部により変換された前記直流電流を疑似三相交流電流に変換する直流交流変換部と、
前記直流交流変換部により変換された前記疑似三相交流電流が供給され、前記圧縮機を駆動する圧縮機モータと、
前記圧縮機モータに供給される前記疑似三相交流電流を検出するモータ電流検出部と、
前記三相交流電源の第１の相の交流電流を検出する第１の交流電流検出部と、
前記三相交流電源の第２の相の交流電流を検出する第２の交流電流検出部と、
前記圧縮機モータの運転周波数を制御する制御部と、
前記圧縮機モータの運転周波数の値が第１の値を上回り、前記モータ電流検出部による検出結果である前記圧縮機モータに供給される前記疑似三相交流電流の値が第２の値を上回っている場合であって、前記第１の交流電流検出部による検出結果である前記三相交流電源の第１の相の交流電流の値が第３の値を下回っているとき、または前記第２の交流電流検出部による検出結果である前記三相交流電源の第２の相の交流電流の値が第４の値を下回っているときに、前記三相交流電源が欠相状態であると判定する判定部とを備える
ことを特徴とする空気調和機。
【請求項２】
前記モータ電流検出部は、前記直流交流変換部と前記圧縮機モータとの間の電源線に設けられることを特徴とする請求項１に記載の空気調和機。
【請求項３】
前記モータ電流検出部は、前記交流直流変換部と前記直流交流変換部との間の電源線に設けられ、前記圧縮機モータに供給される前記疑似三相交流電流の三相分の電流の合成値を検出することを特徴とする請求項１または２に記載の空気調和機。
【請求項４】
前記圧縮機モータの運転周波数の値が第１の値を上回り、前記モータ電流検出部による検出結果である前記圧縮機モータに供給される前記疑似三相交流電流の値が第２の値を上回っている場合であって、前記第１の交流電流検出部による検出結果である前記三相交流電源の第１の相の交流電流の値が第３の値を下回っている間、または前記第２の交流電流検出部による検出結果である前記三相交流電源の第２の相の交流電流の値が第４の値を下回っている間の時間の計測を行う計測部を備え、
前記判定部は、さらに前記計測部による計測結果に基づいて、前記三相交流電源の欠相の判定を行うことを特徴とする請求項１に記載の空気調和機。
【請求項５】
前記判定部による判定結果を室内機へ送信する通信部と、
前記三相交流電源の第１の相の交流電流と、前記三相交流電源の第３の相の交流電流とから前記通信部の電源となる電力を生成する電源生成部とを備えることを特徴とする請求項１から４のいずれか１項に記載の空気調和機。
【発明の詳細な説明】
【技術分野】
【０００１】
本発明は、三相交流電源の欠相の検知を行う空気調和機に関する。
【背景技術】
【０００２】
一般に、空気調和機の制御装置は、三相交流電源の三相の交流電流を検出する場合、三相のうちの二相の交流電流については交流電流検出装置を用いて検出し、残りの一相の交流電流については交流電流検出装置を用いることなく、検出結果である二相の交流電流の値を使用して残りの一相の交流電流の値の算出を行っている。三相交流電源の欠相とは、三相交流電源から供給される三相交流電流のうちの少なくとも１つの交流電流が、電源線の接触不良といった原因によって、三相交流電源から供給されなくなることをいう。そして、制御装置は、三相交流電源の欠相の検知を行う場合は、三相の交流電流のそれぞれの値と任意の値である閾値との大きさを比較し、三相の交流電流のそれぞれの値のうち、１つでも閾値以上なものがあれば三相交流電源が欠相状態であると判定している（特許文献１参照）。
【先行技術文献】
【特許文献】
【０００３】
【特許文献１】国際公開第２０１５／０３３４２７号
【発明の概要】
【発明が解決しようとする課題】
【０００４】
しかしながら、三相交流電源の三相の電圧が相間で偏っている、すなわち三相交流電源の三相の電圧のうちの少なくとも１つの相の電圧が他の相の電圧と異なっていると、三相の交流電流の値に相間で大幅な偏りが発生し、制御装置が、三相交流電源が欠相していないにもかかわらず欠相状態と誤判定してしまう場合があった。制御装置が、三相交流電源が欠相状態であると判定し、空気調和機の運転を停止してしまうと、冷媒回路の制御の制約上、数分間の空気調和機の運転停止期間を確保する必要があり、空気調和機の空調性能を低下させることになる。そのため、空気調和機の不要な運転停止は製品として好ましくない。【０００５】
本発明は、上記に鑑みてなされたものであって、三相交流電源の欠相状態の誤判定を抑制することができる空気調和機を得ることを目的とする。
【課題を解決するための手段】
【０００６】
上述した課題を解決し、目的を達成するために、本発明にかかる、空気調和機は、圧縮機を備える。空気調和機は、三相交流電源から供給された三相交流電流を直流電流に変換する交流直流変換部を備える。空気調和機は、交流直流変換部により変換された直流電流を疑似三相交流電流に変換する直流交流変換部を備える。空気調和機は、直流交流変換部により変換された疑似三相交流電流が供給され、圧縮機を駆動する圧縮機モータを備える。空気調和機は、圧縮機モータに供給される疑似三相交流電流を検出するモータ電流検出部を備える。空気調和機は、三相交流電源の第１の相の交流電流を検出する第１の交流電流検出部を備える。空気調和機は、三相交流電源の第２の相の交流電流を検出する第２の交流電流検出部を備える。空気調和機は、圧縮機モータの運転周波数を制御する制御部を備える。空気調和機は、圧縮機モータの運転周波数の値が第１の値を上回り、モータ電流検出部による検出結果である圧縮機モータに供給される疑似三相交流電流の値が第２の値を上回っている場合であって、第１の交流電流検出部による検出結果である三相交流電源の第１の相の交流電流の値が第３の値を下回っているとき、または第２の交流電流検出部による検出結果である三相交流電源の第２の相の交流電流の値が第４の値を下回っているときに、三相交流電源が欠相状態であると判定する判定部を備える。
【発明の効果】
【０００７】
本発明にかかる空気調和機は、三相交流電源の欠相状態の誤判定を抑制することができるという効果を奏する。
【図面の簡単な説明】
【０００８】
【図１】本発明の実施の形態にかかる空気調和機の一例を示す構成図
【図２】図１における制御装置の機能構成の一例を示すブロック図
【図３】図１における制御装置の制御回路のハードウェア構成の一例を示す図
【図４】図１における制御装置が実行する欠相検知処理のフローチャート
【発明を実施するための形態】
【０００９】
以下に、本発明の実施の形態にかかる空気調和機を図面に基づいて詳細に説明する。なお、この実施の形態によりこの発明が限定されるものではない。
【００１０】
実施の形態．
まず、本発明の実施の形態にかかる空気調和機について説明する。図１は、本発明の実施の形態にかかる空気調和機の一例を示す構成図である。
【００１１】
図１に示すように、空気調和機１０は、室内機２０と、室外機３０とを備える。室内機２０および室外機３０のそれぞれに三相交流電源５０から電力が供給される。三相交流電源５０は、たとえば商用電源である。室内機２０および室外機３０は、図示しない冷媒配管を介して接続される。
【００１２】
室外機３０は、制御装置３１と、交流電流検出装置３２，３３と、電源生成装置３４と、通信装置３５と、合成電流検出装置３６と、トランジスタモジュール３７と、圧縮機モータ３８と、相別電流検出装置３９，４０と、交流直流変換装置４１と、リアクタ４２と、平滑コンデンサ４３とを備える。圧縮機モータ３８は、室外機３０の圧縮機を駆動する。制御装置３１は、制御部および判定部の一例である。交流電流検出装置３２は、第１の交流電流検出部の一例である。交流電流検出装置３３は、第２の交流電流検出部の一例である。合成電流検出装置３６は、モータ電流検出部の一例である。トランジスタモジュール３７は、直流交流変換部の一例である。相別電流検出装置３９，４０は、モータ電流検出部の一例である。交流直流変換装置４１は、交流直流変換部の一例である。
【００１３】
交流直流変換装置４１、リアクタ４２および平滑コンデンサ４３は、三相交流電源５０と、トランジスタモジュール３７との間に設けられる。交流直流変換装置４１は、内蔵される６つのダイオード素子Ｄ１〜Ｄ６により、三相交流電源５０から供給された交流電力を直流電力に変換する。三相交流電源５０から供給される交流電力、交流直流変換装置４１を経て平滑コンデンサ４３に直流電力として蓄えられる。平滑コンデンサ４３は、圧縮機モータ３８の駆動制御を円滑化するために設けているものであり、平滑コンデンサ４３を設けなくてもよい。平滑化された直流電流はトランジスタモジュール３７に供給される。
【００１４】
トランジスタモジュール３７は、交流直流変換装置４１と、圧縮機モータ３８との間に設けられる。トランジスタモジュール３７は、内蔵される６つのスイッチング素子ＳＷ１〜ＳＷ６を予め決められた順序に従って動作させることにより、供給された直流電流を疑似三相交流電流に変換する。トランジスタモジュール３７により生成された疑似三相交流電流は、圧縮機モータ３８に供給される。トランジスタモジュール３７に内蔵される６つのスイッチング素子ＳＷ１〜ＳＷ６の動作順序は、制御装置３１によって予め決められており、制御装置３１から出力された信号のパターンによってトランジスタモジュール３７に内蔵される６つのスイッチング素子ＳＷ１〜ＳＷ６の動作順序が決定される。
【００１５】
制御装置３１は、室外機３０の全体の動作を制御する。制御装置３１は、圧縮機モータ３８の運転周波数を制御する。制御装置３１は、通信装置３５を介して室内機２０と各種信号を送受信する。制御装置３１は、室内機２０と各種信号を送受信することで、室内機２０と、室外機３０とを連係して動作させる。
【００１６】
三相交流電源の三相の電圧が相間で偏っている、すなわち不平衡であると、三相の交流電流の値に相間で大幅な偏りが発生し、制御装置が、三相交流電源が欠相していないにもかかわらず欠相状態と誤判定してしまう場合があった。本実施の形態では、制御装置３１が後述する図４の欠相検知処理を実行することにより、三相交流電源５０の三相の電圧が偏っている場合における、三相交流電源５０の欠相状態の誤判定を抑制することができる。
【００１７】
本実施の形態では、電源線４７に設けられた相別電流検出装置３９による交流電流の検出結果と、電源線４９に設けられた相別電流検出装置４０による交流電流の検出結果とは、電圧信号としてそれぞれ制御装置３１に入力される。制御装置３１は、電源線４７に設けられた相別電流検出装置３９による交流電流の検出結果と、電源線４９に設けられた相別電流検出装置４０による交流電流の検出結果とから電源線４８に流れる交流電流の値を算出する。三相交流電流の三相分が合成された圧縮機モータ３８に流れる交流電流の値は、検出結果である電源線４７に流れる交流電流の値と、算出結果である電源線４８に流れる交流電流の値と、検出結果である電源線４９に流れる交流電流の値とから算出される。本実施の形態では、交流直流変換装置４１とトランジスタモジュール３７との間に設けられた合成電流検出装置３６によって圧縮機モータ３８に供給される三相交流電流の三相分の交流電流の合成値が検出され、検出結果が電圧信号として制御装置３１に入力されてもよい。この場合、制御装置３１は電源線４８に流れる交流電流の値を算出する必要がなく、圧縮機モータ３８に流れる交流電流の値を算出する必要がないため、室外機３０は相別電流検出装置３９および相別電流検出装置４０を備えなくてもよい。
【００１８】
本実施の形態では、圧縮機モータ３８で消費された電力は、三相交流電源５０により補われる。その過程において、電源線４５に流れる第１の相の交流電流が電源線４５に設けられた交流電流検出装置３２によって検出されるとともに、電源線４６に流れる第２の相の交流電流が電源線４６に設けられた交流電流検出装置３３によって検出され、検出結果は電圧信号としてそれぞれ制御装置３１に入力される。
【００１９】
本実施の形態では、電源生成装置３４は、通信装置３５の電源となる電力を生成する。電源生成装置３４は、電源生成部の一例である。通信装置３５は、通信部の一例である。電源生成装置３４は、電源線４４および電源線４５に接続し、電源線４４および電源線４５に流れる交流電流から通信装置３５の電源となる電力を生成する。本実施の形態では、交流電流検出装置が設けられていない電源線４４に流れる第３の相の交流電流については、この相の欠相時には通信装置３５の電源となる電力の生成が不可能な状態となる。本実施の形態では、通信装置３５の電源となる電力が供給されないと、室内機２０と室外機３０との間で通信ができないといった通信異常が発生するため、当該通信異常の発生により、交流電流検出装置が設けられていない電源線４４に流れる第３の相の交流電流についての欠相を判定することができる。
【００２０】
次に、図１における制御装置３１の機能構成について説明する。図２は、図１における制御装置３１の機能構成の一例を示すブロック図である。
【００２１】
図２に示すように、制御装置３１は、制御部１００と、入出力部１１０と、記憶部１２０とを備える。
【００２２】
制御部１００は、運転状態判定部１０１と、運転周波数判定部１０２と、モータ電流判定部１０３と、交流電流判定部１０４と、タイマ計測部１０５と、電源欠相判定部１０６とを備える。タイマ計測部１０５は、計測部の一例である。
【００２３】
運転状態判定部１０１は、圧縮機モータ３８が運転状態であるか停止状態であるかを判定する。運転周波数判定部１０２は、圧縮機モータ３８の運転周波数の値が値Ｆ１を上回っているか否かを判定する。値Ｆ１は、第１の値の一例である。圧縮機モータ３８の運転周波数の値を高くするためには、三相交流電源５０から供給される交流電流の値を大きくする必要がある。値Ｆ１は予め設定されるものであり、三相交流電源５０の電圧に偏りが生じている場合においても、交流電流検出装置３２で検出される値が後述するＩ１の値を下回らないこと、および交流電流検出装置３３で検出される値が後述するＩ２の値を下回らないことを保証するためのものである。すなわち、圧縮機モータ３８の運転周波数の値が値Ｆ１を上回っている場合には、三相交流電源５０の電圧に偏りが生じている場合においても、交流電流検出装置３２で検出される値が後述するＩ１の値を下回らないこと、および交流電流検出装置３３で検出される値が後述するＩ２の値を下回らないことが保証される。たとえば、値Ｆ１は、最も電流の流れにくい環境下において、交流電流検出装置３２，３３がゼロ以外の値を制御装置３１に入力できる状況を目安として、予め設定される。
【００２４】
モータ電流判定部１０３は、相別電流検出装置３９および４０から入力された電圧信号に基づいて、圧縮機モータ３８に流れる交流電流の値を算出し、三相交流電流の三相分が合成された圧縮機モータ３８に流れる交流電流の値が値Ｘ１を上回っているか否かを判定する。値Ｘ１は、第２の値の一例である。圧縮機モータ３８に流れる交流電流の値を大きくするためには、三相交流電源５０から供給される交流電流の値を大きくする必要がある。値Ｘ１は予め設定されるものであり、三相交流電源５０の電圧に偏りが生じている場合においても、交流電流検出装置３２で検出される値が後述するＩ１の値を下回らないこと、および交流電流検出装置３３で検出される値が後述するＩ２の値を下回らないことを保証するためのものである。すなわち、圧縮機モータ３８に流れる交流電流の値が値Ｘ１を上回っている場合には、三相交流電源５０の電圧に偏りが生じている場合においても、交流電流検出装置３２で検出される値が後述するＩ１の値を下回らないこと、および交流電流検出装置３３で検出される値が後述するＩ２の値を下回らないことが保証される。たとえば、値Ｘ１は、圧縮機モータ３８に流れる交流電流の値が大きくなり、三相交流電源５０の電圧の偏りの影響が顕著に出始める状況を目安として、予め設定される。
【００２５】
交流電流判定部１０４は、交流電流検出装置３２から入力された電圧信号に基づいて、電源線４５に流れる交流電流の値が値Ｉ１を下回っているか否かを判定する。値Ｉ１は、第３の値の一例である。値Ｉ１は予め設定されるものであり、欠相と判定される値に設定される。たとえば、値Ｉ１は、電源線４５の電源相が欠相状態にあった際に、制御装置３１に入力されうる最大値を想定して設定される。交流電流判定部１０４は、交流電流検出装置３３から入力された電圧信号に基づいて、電源線４６に流れる交流電流の値が値Ｉ２を下回っているか否かを判定する。値Ｉ２は、第４の値の一例である。値Ｉ２は予め設定されるものであり、欠相と判定される値に設定される。たとえば、値Ｉ２は、電源線４６の電源相が欠相状態にあった際に、制御装置３１に入力されうる最大値を想定して設定される。
【００２６】
タイマ計測部１０５は、図示しないタイマを使用して、電源線４５に流れる交流電流が値Ｉ１を下回っている、または電源線４６に流れる交流電流が値Ｉ２を下回っている間の時間を計測する。タイマ計測部１０５は、タイマの計測値が値Ｔ１以上であるか否かを判定する。値Ｔ１は予め設定されるものであり、三相交流電源５０の電圧の相間での偏りが一時的であると判定できる値に設定される。
【００２７】
電源欠相判定部１０６は、タイマ計測部１０５によりタイマの計測値が値Ｔ１以上であると判定されたときに、三相交流電源５０が欠相状態であると判定する。
【００２８】
次に、図１における制御装置３１のハードウェア構成について説明する。図３は、図１における制御装置３１の制御回路２００のハードウェア構成の一例を示す図である。制御装置３１は、制御部１００、入出力部１１０および記憶部１２０を実現するハードウェアである制御回路２００を備える。
【００２９】
制御回路２００は、制御回路２００の外部からの情報が入力される入力回路および情報を制御回路２００の外部へ出力する出力回路を含む入出力インターフェース回路２０１と、プロセッサ２０２と、メモリ２０３とを備える。入出力インターフェース回路２０１は、外部から受信した情報をメモリ２０３に送る。メモリ２０３は、入出力インターフェース回路２０１から受け取った情報を記憶する。また、メモリ２０３にはコンピュータプログラムが記憶されている。プロセッサ２０２は、メモリ２０３に記憶されているコンピュータプログラムを読み出し、メモリ２０３に記憶されている情報に基づいて演算処理を行う。プロセッサ２０２による演算結果を示す演算結果情報は、メモリ２０３に送られる。入出力インターフェース回路２０１は、メモリ２０３に記憶されている情報を外部に送る。
【００３０】
入出力インターフェース回路２０１は、入出力部１１０を実現する。プロセッサ２０２は、制御部１００を実現する。メモリ２０３は、記憶部１２０を実現する。
【００３１】
次に、図１における制御装置３１が実行する欠相検知処理について説明する。図４は、図１における制御装置３１が実行する欠相検知処理のフローチャートである。図４の処理は、室外機３０に三相交流電源５０から電力が供給されている間において実行される。
【００３２】
図４に示すように、まず、ステップＳ１０１では、制御装置３１の運転状態判定部１０１は、圧縮機モータ３８が運転状態であるか否かを判定する。圧縮機モータ３８は、単独では運転を停止することは不可能であり、制御装置３１からの指令によって運転を停止する。したがって、運転状態判定部１０１は、制御装置３１が圧縮機モータ３８を駆動させていれば圧縮機モータ３８が運転状態であると判定し、制御装置３１が圧縮機モータ３８を停止させていれば圧縮機モータ３８が運転状態でない、すなわち停止状態であると判定する。
【００３３】
ステップＳ１０１での判定の結果、運転状態判定部１０１により圧縮機モータ３８が運転状態であると判定されたときは（ステップＳ１０１でＹｅｓ）、ステップＳ１０２の処理に進む。ステップＳ１０１での判定の結果、運転状態判定部１０１により圧縮機モータ３８が運転状態でない、すなわち停止状態であると判定されたときは（ステップＳ１０１でＮｏ）、ステップＳ１１０の処理に進む。ステップＳ１１０では、制御装置３１のタイマ計測部１０５は、後述するステップＳ１０７の処理を実行してタイマの計測中であればタイマの計測を停止し、タイマの計測値をクリアして、ステップＳ１０１の処理に戻る。ステップＳ１０１では、制御装置３１のタイマ計測部１０５は、後述するステップＳ１０７の処理を実行しておらず、タイマの計測中でなければタイマの計測を停止する必要はなく、ステップＳ１０１の処理に戻る。
【００３４】
ステップＳ１０２では、制御装置３１の運転周波数判定部１０２は、圧縮機モータ３８の運転周波数が値Ｆ１を上回っているか否かを判定する。
【００３５】
ステップＳ１０２での判定の結果、運転周波数判定部１０２により圧縮機モータ３８の運転周波数が値Ｆ１を上回っていると判定されたときは（ステップＳ１０２でＹｅｓ）、ステップＳ１０３の処理に進む。ステップＳ１０２での判定の結果、運転周波数判定部１０２により圧縮機モータ３８の運転周波数が値Ｆ１を上回っていない、すなわち値Ｆ１以下であると判定されたときは（ステップＳ１０２でＮｏ）、ステップＳ１１０の処理に進む。
【００３６】
ステップＳ１０３では、制御装置３１のモータ電流判定部１０３は、相別電流検出装置３９および４０から入力された電圧信号に基づいて、電源線４８に流れる交流電流の値を算出して、三相交流電流の三相分が合成された圧縮機モータ３８に流れる交流電流の値を算出し、圧縮機モータ３８に流れる交流電流の値が値Ｘ１を上回っているか否かを判定する。ステップＳ１０３では、制御装置３１のモータ電流判定部１０３は、合成電流検出装置３６から入力された電圧信号に基づいて、圧縮機モータ３８に流れる交流電流の値が値Ｘ１を上回っているか否かを判定してもよい。
【００３７】
ステップＳ１０３での判定の結果、モータ電流判定部１０３により圧縮機モータ３８に流れる交流電流の値が値Ｘ１を上回っていると判定されたときは（ステップＳ１０３でＹｅｓ）、ステップＳ１０４の処理に進む。ステップＳ１０３での判定の結果、モータ電流判定部１０３により圧縮機モータ３８に流れる交流電流の値が値Ｘ１を上回っていない、すなわち値Ｘ１以下であると判定されたときは（ステップＳ１０３でＮｏ）、ステップＳ１１０の処理に進む。
【００３８】
ステップＳ１０４の処理に進む場合は、圧縮機モータ３８とトランジスタモジュール３７とが正常に接続されていることが保証される。ステップＳ１０４の処理に進む場合は、三相交流電源５０の電圧に偏りが生じている場合においても、交流電流検出装置３２で検出される値が上述したＩ１の値を下回らないこと、および交流電流検出装置３３で検出される値が上述したＩ２の値を下回らないことが保証される。これにより、三相交流電源５０の電圧の偏りによる欠相の誤検知を抑制することができる。
【００３９】
ステップＳ１０４では、制御装置３１の交流電流判定部１０４は、交流電流検出装置３２から入力された電圧信号に基づいて、電源線４５に流れる交流電流の値が値Ｉ１を下回っているか否かを判定する。
【００４０】
ステップＳ１０４での判定の結果、交流電流判定部１０４により電源線４５に流れる交流電流の値が値Ｉ１を下回っていると判定されたときは（ステップＳ１０４でＹｅｓ）、ステップＳ１０６の処理に進む。ステップＳ１０４での判定の結果、交流電流判定部１０４により電源線４５に流れる交流電流の値が値Ｉ１を下回っていない、すなわち値Ｉ１以上であると判定されたときは（ステップＳ１０４でＮｏ）、ステップＳ１０５の処理に進む。
【００４１】
ステップＳ１０５では、制御装置３１の交流電流判定部１０４は、交流電流検出装置３３から入力された電圧信号に基づいて、電源線４６に流れる交流電流の値が値Ｉ２を下回っているか否かを判定する。
【００４２】
ステップＳ１０５での判定の結果、交流電流判定部１０４により電源線４６に流れる交流電流の値が値Ｉ２を下回っていると判定されたときは（ステップＳ１０５でＹｅｓ）、ステップＳ１０６の処理に進む。ステップＳ１０５での判定の結果、交流電流判定部１０４により電源線４６に流れる交流電流の値が値Ｉ２を下回っていない、すなわち値Ｉ２以上であると判定されたときは（ステップＳ１０５でＮｏ）、ステップＳ１１０の処理に進む。
【００４３】
ステップＳ１０６では、制御装置３１のタイマ計測部１０５は、後述するステップＳ１０７の処理を実行して時間を計測するタイマが計測中であるか否かを判定する。ステップＳ１０６でタイマが計測中であると判定される場合は、ステップＳ１０７の処理を実行し、後述するステップＳ１０８の処理を経由して、ステップＳ１０１の処理に戻り、ステップＳ１０６の処理を行う場合である。
【００４４】
ステップＳ１０６での判定の結果、タイマ計測部１０５により後述するステップＳ１０７の処理を実行してタイマが計測中であると判定されたときは（ステップＳ１０６でＹｅｓ）、ステップＳ１０８の処理に進む。ステップＳ１０６での判定の結果、タイマ計測部１０５によりタイマが計測中でないと判定されたときは（ステップＳ１０６でＮｏ）、タイマ計測部１０５はタイマの計測を開始して（ステップＳ１０７）、ステップＳ１０８の処理に進む。
【００４５】
ステップＳ１０８では、タイマ計測部１０５は、タイマの計測値が値Ｔ１以上であるか否かを判定する。
【００４６】
ステップＳ１０８での判定の結果、タイマ計測部１０５によりタイマの計測値が値Ｔ１以上であると判定されたときは（ステップＳ１０８でＹｅｓ）、制御装置３１の電源欠相判定部１０６は、三相交流電源５０が欠相状態であると判定して（ステップＳ１０９）、本処理を終了する。ステップＳ１０９で電源欠相判定部１０６により三相交流電源５０が欠相状態であると判定された場合は、制御装置３１は、室外機３０の運転を停止するとともに、室内機２０に対して予め決められた通信信号を送信し、室内機２０の表示機能を用いてユーザに三相交流電源５０が欠相状態であることを伝える。
【００４７】
ステップＳ１０８での判定の結果、タイマ計測部１０５によりタイマの計測値が値Ｔ１以上でないと判定されたときは（ステップＳ１０８でＮｏ）、ステップＳ１０１の処理に戻る。
【００４８】
図４の処理によれば、ステップＳ１０４の処理に進む場合は、三相交流電源５０の電圧に偏りが生じている場合においても、交流電流検出装置３２で検出される値が上述したＩ１の値を下回らないこと、および交流電流検出装置３３で検出される値が上述したＩ２の値を下回らないことが保証される。すなわち、三相交流電源５０の電圧の偏りによっては、ステップＳ１０６の処理に進むことはない。これにより、三相交流電源５０の電圧の偏りによる欠相の誤検知を抑制することができる。
【００４９】
図４の処理によれば、タイマ計測部１０５によりタイマの計測値が値Ｔ１以上であると判定されたときに（ステップＳ１０８でＹｅｓ）、三相交流電源５０が欠相状態であると判定される（ステップＳ１０９）。これにより、ステップＳ１０４の処理に進んだ場合においても、一時的な三相交流電源５０の電圧の相間での偏りによっては三相交流電源５０が欠相状態と判定されることがないため、三相交流電源５０の欠相状態の判定をさらに正確に行うことができる。
【００５０】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００５１】
１０  空気調和機、２０  室内機、３０  室外機、３１  制御装置、３２，３３  交流電流検出装置、３４  電源生成装置、３５  通信装置、３６  合成電流検出装置、３７  トランジスタモジュール、３８  圧縮機モータ、３９，４０  相別電流検出装置、４１  交流直流変換装置、４２  リアクタ、４３  平滑コンデンサ、４４，４５，４６，４７，４８，４９  電源線、５０  三相交流電源、Ｄ１，Ｄ２，Ｄ３，Ｄ４，Ｄ５，Ｄ６  ダイオード素子、ＳＷ１，ＳＷ２，ＳＷ３，ＳＷ４，ＳＷ５，ＳＷ６  スイッチング素子、１００  制御部、１０１  運転状態判定部、１０２  運転周波数判定部、１０３  モータ電流判定部、１０４  交流電流判定部、１０５  タイマ計測部、１０６  電源欠相判定部、１１０  入出力部、１２０  記憶部、２００  制御回路、２０１  入出力インターフェース回路、２０２  プロセッサ、２０３  メモリ。
【図１】
0006639705.tif 000002
【図２】
0006639705.tif 000003
【図３】
0006639705.tif 000004
【図４】
0006639705.tif 000005